(57)【特許請求の範囲】
【請求項１】
樹脂チューブからなる先端側シャフトと、
前記先端側シャフトの後端に接続された金属チューブからなる後端側シャフトと、
前記先端側シャフトの先端に接続されたバルーンと、
前記先端側シャフトのルーメンおよび前記バルーンの内部に挿通されて、ガイドワイヤルーメンを形成する樹脂チューブであって、前記先端側シャフトの側面においてその後端がガイドワイヤポートとして開口し、前記バルーンの先端部にその先端部が固定されて、その先端が開口するインナーチューブと、
ストレート部と縮径部とを有し、前記縮径部を先端側にして前記先端側シャフトのルーメンに挿通されているコアワイヤとを備えてなり、
前記コアワイヤの後端側が、前記後端側シャフトの内周面に固着されているとともに、前記コアワイヤのストレート部が、前記先端側シャフトの内周面と前記インナーチューブの外周面との間に圧入されており、
前記ガイドワイヤポートの形成位置から前記コアワイヤのストレート部の先端までの軸方向の距離（Ｌ１）が１．０〜５０．０ｍｍであり、
前記コアワイヤのストレート部が圧入されることにより、当該ストレート部が圧入されている部分における前記先端側シャフトの横断面が楕円形状となり、当該楕円の長径を（Ｄ11）、短径を（Ｄ12）とするとき、（Ｄ11）／（Ｄ12）の値が１．０２〜１．３０であることを特徴とするバルーンカテーテル。
【請求項２】
前記先端側シャフトを構成する樹脂チューブの内径を（ｄ1 ）、前記インナーチューブの外径を（Ｄ2 ）、前記コアワイヤのストレート部の直径を（Ｄ3 ）とするとき、
Ｄ3 ／（ｄ1 −Ｄ2 ）の値が１．０５〜１．９５であることを特徴とする請求項１に記載のバルーンカテーテル。
【発明の詳細な説明】
【技術分野】
【０００１】
本発明は、ラピッドエクスチェンジタイプのバルーンカテーテルに関する。
【背景技術】
【０００２】
従来、アウターシャフトとインナーチューブとを有するバルーンカテーテルが知られている（例えば特許文献１および特許文献２参照）。
【０００３】
特許文献１および特許文献２に示したようなラピッドエクスチェンジタイプのバルーンカテーテルにおいては、アウターシャフトの先端にバルーンが装着され、バルーンの先端部にインナーチューブの先端部が固定され、インナーチューブの後端はアウターシャフトの側面において開口してガイドワイヤポートを形成している。
一方、樹脂チューブからなるアウターシャフトの後端には、金属チューブからなる後端側シャフトが接続されている。
ここに、アウターシャフト（先端側シャフト）および後端側シャフトのルーメンは、バルーンを拡張させるための流体が流通する拡張ルーメンであり、インナーチューブのルーメンは、ガイドワイヤを挿通するためのガイドワイヤルーメンである。
【０００４】
特許文献１および特許文献２に示したようなラピッドエクスチェンジタイプのバルーンカテーテルにおいて、樹脂チューブからなるアウターシャフトのルーメンには、補強体としてコアワイヤが挿入されている。
このコアワイヤの後端部は、金属チューブからなる後端側シャフトの内周面に溶接などにより固着されている。これにより、補強が必要なアウターシャフト（先端側シャフト）の後端部分、具体的には、ガイドワイヤポートの形成位置より後端側の部分の剛性を向上させることができ、このバルーンカテーテルの押込時における当該部分のキンク（座屈）の発生をある程度抑制することができる。
【０００５】
ここに、コアワイヤは、通常、一定の直径を有するストレート部と、このストレート部の先端側に位置するテーパ部（縮径部）とを有している。コアワイヤのテーパ部は、先端方向に縮径しており、これにより、バルーンカテーテルの硬度（剛性）を先端に向かって徐々に低下させることができる。
【０００６】
然るに、特許文献１および特許文献２に示したようなバルーンカテーテルにおいては、コアワイヤの先端部がアウターシャフトの内周面に固定されていない（先端が自由端である）ために、十分なプッシャビリティを発揮することができないという問題がある。
すなわち、このバルーンカテーテルを血管内に挿通する際に後端側シャフトから押込力を付与したときに、アウターシャフト（先端側シャフト）に対してコアワイヤが軸方向に移動（前進）してしまい、当該押込力を先端側シャフトに十分に伝達することができない。
【０００７】
また、アウターシャフトの内周面にコアワイヤの先端が固定されていないバルーンカテーテルでは、血管内に挿通する際（押込力の付与時）において、先端側シャフトの後端部分（ガイドワイヤポートの形成位置から後端側シャフトの先端位置までの部分）のキンクを確実に防止することはできない。
【０００８】
このような問題に対して、下記特許文献３には、アウターシャフト（先端側シャフト）の後端部分における当該アウターシャフトの内周面にコアワイヤを固着してなるバルーンカテーテルが開示されている。
特許文献３に記載されたバルーンカテーテルのように、後端側シャフトの内周面に固着しているコアワイヤを先端側シャフトの内周面にも固着させることにより、後端側シャフトからの押込力を先端側シャフトに確実に伝達することができ、良好なプッシャビリティを発揮することができる。また、コアワイヤの固着位置よりも後端側における当該先端側シャフトの剛性を十分に高くすることができ、当該部分におけるキンクを確実に防止することができる。
【０００９】
しかしながら、特許文献３に記載されたバルーンカテーテルのように、先端側シャフトの内周面に対してコアワイヤを強固に固着させた場合には、先端側シャフトの曲げ剛性が過大となって柔軟性が著しく損なわれる。この結果、そのようなバルーンカテーテルを屈曲している血管（例えば、心臓内の蛇行血管）に対してスムーズに挿入することはできないという問題が生じる。
【００１０】
また、先端側シャフトの内周面におけるコアワイヤの固着位置が、ガイドワイヤポートの形成位置から後端側に大きく離間している場合には、ガイドワイヤポートの形成位置からコアワイヤの固着位置までの部分における剛性を十分に高くすることができないので、当該部分においてキンクを生じる可能性がある。
【先行技術文献】
【特許文献】
【００１１】
【特許文献１】特開２００２−  ２８２４３号公報
【特許文献２】特開２００３−１６４５２８号公報
【特許文献３】特許第５０６１６１４号公報
【発明の概要】
【発明が解決しようとする課題】
【００１２】
本発明は以上のような事情に基いてなされたものである。
本発明の目的は、血管内に挿通するときのプッシャビリティに優れ、先端側シャフトの後端部分（ガイドワイヤポートの形成位置から後端側シャフトの先端位置までの部分）におけるキンク（座屈）を確実に防止することができるとともに、屈曲している血管に対してもスムーズに挿入することができるラピッドエクスチェンジタイプのバルーンカテーテルを提供することにある。
【課題を解決するための手段】
【００１３】
（１）本発明のバルーンカテーテルは、樹脂チューブからなる先端側シャフトと、
前記先端側シャフトの後端に接続された金属チューブからなる後端側シャフトと、
前記先端側シャフトの先端に接続されたバルーンと、
前記先端側シャフトのルーメンおよび前記バルーンの内部に挿通されて、ガイドワイヤルーメンを形成する樹脂チューブであって、前記先端側シャフトの側面においてその後端がガイドワイヤポートとして開口し、前記バルーンの先端部にその先端部が固定されて、その先端が開口するインナーチューブと、
ストレート部と縮径部とを有し、前記縮径部を先端側にして前記先端側シャフトのルーメンに挿通されているコアワイヤとを備えてなり、
前記コアワイヤの後端側が、前記後端側シャフトの内周面に固着されているとともに、前記コアワイヤのストレート部が、前記先端側シャフトの内周面と前記インナーチューブの外周面との間に圧入されており、
前記ガイドワイヤポートの形成位置から前記コアワイヤのストレート部の先端までの軸方向の距離（Ｌ１）が１．０〜５０．０ｍｍであり、
前記コアワイヤのストレート部が圧入されることにより、当該ストレート部が圧入されている部分における前記先端側シャフトの横断面が楕円形状となり、当該楕円の長径を（Ｄ11）、短径を（Ｄ12）とするとき、（Ｄ11）／（Ｄ12）の値が１．０２〜１．３０であることを特徴とする。
【００１４】
このような構成のバルーンカテーテルによれば、後端側シャフトの内周面に固着しているコアワイヤのストレート部を、先端側シャフトの内周面とインナーチューブの外周面との間に圧入して固定する（コアワイヤのストレート部を介して、先端側シャフトと後端側シャフトとを連結する）ことにより、優れたプッシャビリティを発揮することができるとともに、コアワイヤの固定位置よりも後端側（ガイドワイヤポートの形成位置から後端側シャフトの先端位置までの部分を含む領域）における当該先端側シャフトの剛性を十分に高くすることができるので、当該部分におけるキンクを確実に防止することができる。
【００１５】
また、先端側シャフトの内周面に対してコアワイヤを強固（完全に）に固着しているのではなく、先端側シャフトの内周面とインナーチューブの外周面との間にストレート部を圧入することによりコアワイヤを固定（樹脂の弾性を利用したいわば半固定）しているので、先端側シャフトに曲げ応力を作用させたときには、当該先端側シャフトに対してコアワイヤが軸方向に移動（摺動）することができ、これにより、先端側シャフトには良好な柔軟性が確保され、この結果、先端側シャフトを、屈曲している血管に対してスムーズに挿入することができる。
【００１６】
（２）本発明のバルーンカテーテルにおいて、前記先端側シャフトを構成する樹脂チューブの内径を（ｄ1 ）、前記インナーチューブの外径を（Ｄ2 ）、前記コアワイヤのストレート部の直径を（Ｄ3 ）とするとき、Ｄ3 ／（ｄ1 −Ｄ2 ）の値が１．０５〜１．９５であることが好ましい。但し、樹脂チューブの内径（ｄ1 ）は、コアワイヤを挿通していない状態の内径である。
【００１７】
このような構成のバルーンカテーテルによれば、コアワイヤのストレート部の外周面に対して、先端側シャフトの内周面とインナーチューブの外周面とによる適度な圧力（挟持力）を付与することができ、これにより、この先端側シャフトは、優れた剛性と柔軟性とをバランスよく兼ね備えたものとなる。
【発明の効果】
【００２０】
本発明のバルーンカテーテルは、血管内に挿通する際のプッシャビリティに優れ、先端側シャフトの後端部分（ガイドワイヤポートの形成位置から後端側シャフトの先端位置までの部分）におけるキンクを確実に防止することができるとともに、屈曲している血管に対してもスムーズに挿入することができる。
【図面の簡単な説明】
【００２１】
【図１】本発明の一実施形態に係るバルーンカテーテルを縦断面を模式的に示す断面図である。
【図２】本発明の一実施形態に係るバルーンカテーテルの横断面を示す断面図（図１のａ−ａ断面図、ｂ−ｂ断面図、ｃ−ｃ断面図、ｄ−ｄ断面図、ｅ−ｅ断面図）である。
【発明を実施するための形態】
【００２２】
図１および図２に示す本実施形態のバルーンカテーテル１００は、経皮的冠状動脈血管形成術（ＰＴＣＡ）などに使用される。
このバルーンカテーテル１００は、樹脂チューブからなる先端側シャフト１０と、先端側シャフト１０の後端に接続された金属チューブからなる後端側シャフト２０と、先端側シャフト１０の先端に接続されたバルーン３０と、先端側シャフト１０のルーメンおよびバルーン３０の内部に挿通されて、ガイドワイヤルーメンを形成する樹脂チューブであって、先端側シャフト１０の側面において、その後端がガイドワイヤポートとして開口し、バルーン３０の先端部にその先端部が固定されて、その先端が開口するインナーチューブ４０と、ストレート部５１とテーパ部５２（縮径部）とからなり、テーパ部５２を先端側にして先端側シャフト１０のルーメンに挿通されているコアワイヤ５０とを備えてなり、コアワイヤ５０は、ストレート部５１の後端側において、後端側シャフト２０の内周面に溶接により固着されているとともに、ストレート部５１の先端側において、先端側シャフト１０の内周面とインナーチューブ４０の外周面との間に圧入されている。
図１において、６０は、後端側シャフト２０の後端に装着されたハブ、７０はストレインリリーフである。
【００２３】
バルーンカテーテル１００の先端側シャフト１０は、樹脂チューブから構成されている。先端側シャフト１０には、バルーン３０を拡張させるための流体を流通するルーメン（拡張ルーメン）が形成されている。
【００２４】
先端側シャフト１０を構成する樹脂チューブの外径（Ｄ1 ）は、通常０．７〜１．０ｍｍとされる。
また、先端側シャフト１０を構成する樹脂チューブの内径（ｄ1 ）は、通常０．６５〜０．９５ｍｍとされる。
なお、上記の外径（Ｄ1 ）および内径（ｄ1 ）は、コアワイヤ５０を挿通していない状態での径である。
【００２５】
先端側シャフト１０の長さは、通常１５０〜４５０ｍｍとされ、好適な一例を示せば３９０ｍｍである。
先端側シャフト１０（樹脂チューブ）の構成材料としては、ポリアミド、ポリエーテルポリアミド、ポリウレタン、ポリエーテルブロックアミド（ＰＥＢＡＸ）（登録商標）およびナイロンなどの熱可塑性樹脂を挙げることができ、これらのうちＰＥＢＡＸが好ましい。
先端側シャフト１０（樹脂チューブ）の硬度としては、Ｄ型硬度計による硬度で６３〜８０であることが好ましい。
【００２６】
先端側シャフト１０の後端に接続されている後端側シャフト２０には、先端側シャフト１０のルーメンに連通するルーメン（拡張ルーメン）が形成されている。
この後端側シャフト２０は、ステンレス、Ｎｉ−Ｔｉ合金、Ｃｕ−Ｍｎ−Ａｌ系合金などの金属チューブ（ハイポチューブ）から構成されており、この金属チューブの先端部分には、螺旋状のスリットが形成されていてもよい。
【００２７】
図１に示すように、後端側シャフト２０を構成する金属チューブは、その先端部が先端側シャフト１０を構成する樹脂チューブの後端部に挿入されているとともに、その後端部がハブ６０に挿入されている。
後端側シャフト２０を構成する金属チューブの外径は、通常０．５〜０．８ｍｍとされる。
また、後端側シャフト２０を構成する金属チューブの内径は、通常０．４〜０．７ｍｍとされる。
後端側シャフト２０の長さは、通常９００〜１５００ｍｍとされる。
【００２８】
先端側シャフト１０の先端にはバルーン３０が装着されている。
バルーン３０は、先端側シャフト１０および後端側シャフト２０のルーメンを流通する液体によって拡張する。ここに、液体としては、生理食塩水や造影剤を挙げることができる。
拡張時におけるバルーン３０の直径としては、通常１．０〜５．０ｍｍとされ、好ましくは２．０〜３．５ｍｍとされる。
バルーン３０の長さとしては、通常５〜４０ｍｍとされ、好ましくは１５〜３０ｍｍとされる。
バルーン３０の構成材料としては、従来公知のバルーンカテーテルを構成するバルーンと同一のものを使用することができ、好適な材料としてＰＥＢＡＸを挙げることができる。
【００２９】
バルーンカテーテル１００を構成するインナーチューブ４０は、先端側シャフト１０のルーメンおよびバルーン３０の内部（内腔）に延在しており、ガイドワイヤを挿通するためのルーメン（ガイドワイヤルーメン）を形成する樹脂チューブである。
インナーチューブ４０の後端は、先端側シャフト１０の側面において開口しており、この開口４１はガイドワイヤポートとなっている。
インナーチューブ４０の先端部は、バルーン３０の先端部に固定されており、インナーチューブ４０の先端には開口４２が形成されている。
【００３０】
インナーチューブ４０の外径（Ｄ2 ）は、通常０．４８〜０．６０ｍｍとされる。
インナーチューブ４０の内径（ｄ2 ）は、通常０．３５〜０．４５ｍｍとされる。
ガイドワイヤポートであるインナーチューブ４０の開口４１の形成位置からバルーン３０の後端位置までの軸方向の距離（Ｌ３）としては、通常１５０〜３００ｍｍとされる。
【００３１】
インナーチューブ４０の開口４１の形成位置から後端側シャフト２０の先端までの軸方向の距離（Ｌ４）としては、通常０〜５０ｍｍとされ、好ましくは５〜５０ｍｍとされる。なお、この距離（Ｌ４）が５ｍｍ以上である場合において、本発明の構成を採用することは特に効果的である。
【００３２】
インナーチューブ４０の構成材料としては、先端側シャフト１０の構成材料と同一の合成樹脂を挙げることができ、それらのうちＰＥＢＡＸが好ましい。
先端側シャフト１０の硬度としては、Ｄ型硬度計による硬度で６３〜８０であることが好ましい。
【００３３】
バルーンカテーテル１００を構成するコアワイヤ５０は、ストレート部５１とテーパ部５２とからなる。コアワイヤ５０は、テーパ部５２を先端側にして先端側シャフト１０のルーメンに挿通されているとともに、コアワイヤ５０の後端側の一部は、後端側シャフト２０のルーメンに挿通されている。
【００３４】
コアワイヤ５０は、ストレート部５１の後端側において、後端側シャフト２０の内周面（後端側シャフト２０の先端位置から基端側に１０〜１５０ｍｍ程度離間した位置における内周面）にスポット溶接されることにより、後端側シャフト２０に対して強固に固着されている。
【００３５】
また、このコアワイヤ５０は、ストレート部５１の先端側において、先端側シャフト１０の内周面とインナーチューブ４０の外周面との間に圧入されること（２つの樹脂チューブによりストレート部５１が挟持されること）により、先端側シャフト１０に対して固定されている。
【００３６】
このように、後端側シャフト２０の内周面に固着しているコアワイヤ５０のストレート部５１を、先端側シャフト１０の内周面とインナーチューブ４０の外周面との間に圧入して固定していることにより、後端側シャフト２０からの押込力を、先端側シャフト１０に確実に伝達することができ、良好なプッシャビリティを発揮することができる。
また、コアワイヤ５０（ストレート部５１）の固着位置よりも後端側〔ガイドワイヤポートの形成位置から後端側シャフト２０の先端位置までの部分（図１において、その部分の長さは（Ｌ４）で示されている。）を含む領域〕における先端側シャフト１０の剛性を十分に高くすることができ、当該部分におけるキンクを確実に防止することができる。
【００３７】
また、先端側シャフト１０の内周面に対してコアワイヤ５０を完全に固着しているのではなく、先端側シャフト１０の内周面とインナーチューブ４０の外周面との間にストレート部５１を圧入することによってコアワイヤ５０を固定（半固定）しているので、先端側シャフト１０に曲げ応力を作用させたときには、先端側シャフト１０に対してコアワイヤ５０を軸方向に移動（摺動）させることができることから、先端側シャフト１０には良好な柔軟性が確保される。この結果、屈曲している血管に対しても、先端側シャフト１０をスムーズに挿入することができる。
【００３８】
なお、ストレート部５１に代えて、コアワイヤ５０のテーパ部５２を先端側シャフト１０の内周面とインナーチューブ４０の外周面との間に圧入する場合には、先端側シャフト１０に対してコアワイヤ５０を先端方向に移動させることができないために、コアワイヤ５０が先端方向に相対移動することにより確保される柔軟性を確保することができない。  また、先端側シャフト１０に対してコアワイヤ５０が後端方向に移動することによってテーパ部５２の圧入固定が解除された場合には、コアワイヤ５０と、先端側シャフト１０およびインナーチューブ４０との接触がなくなるため、良好なプッシャビリティを発揮することができず、先端側シャフト１０の後端部分におけるキンクの発生を防止することができなくなる。
【００３９】
コアワイヤ５０のストレート部５１の直径（Ｄ3 ）は、先端側シャフト１０を構成する樹脂チューブの内径（ｄ1 ）およびインナーチューブ４０の外径（Ｄ2 ）によって異なり、少なくとも、Ｄ3 ／（ｄ1 −Ｄ2 ）の値が１．０より大きくなるように調整されていることが必要である。ストレート部５１の直径（Ｄ3 ）としては、通常０．１〜０．３ｍｍとされる。
【００４０】
なお、ストレート部５１の直径（Ｄ3 ）は、Ｄ3 ／（ｄ1 −Ｄ2 ）の値が１．０５〜１．９５となるように調整されていることが好ましい。
Ｄ3 ／（ｄ1 −Ｄ2 ）の値が１．０５〜１．９５となるように直径（Ｄ3 ）を調整することにより、そのようなストレート部５１の外周面に対して、先端側シャフト１０の内周面とインナーチューブ４０の外周面とによって適度な圧力（挟持力）を付与することができ、この結果、先端側シャフト１０は、優れた剛性と柔軟性とをバランスよく兼ね備えたものとなる。
【００４１】
Ｄ3 ／（ｄ1 −Ｄ2 ）の値が１．０５未満である場合には、先端側シャフトに対してコアワイヤのストレート部を十分に固定することができない。一方、Ｄ3 ／（ｄ1 −Ｄ2 ）の値が１．９５を超える場合には、先端側シャフトの内周面とインナーチューブの外周面との間にコアワイヤのストレート部を圧入することができなかったり、圧入固定後のシャフトの横断面形状が大きく変形して、操作性が損なわれることがある。
【００４２】
本実施形態のバルーンカテーテル１００において、コアワイヤ５０のストレート部５１が圧入固定されている部分における先端側シャフト１０の横断面は楕円形状となる。
【００４３】
そして、この楕円の長径を（Ｄ11）とし、短径を（Ｄ12）とするとき、（Ｄ11）／（Ｄ12）の値は１．０２〜１．３０であることが好ましい。
【００４４】
前記楕円における（Ｄ11）／（Ｄ12）の値が１．０２〜１．３０であることにより、他のデバイスに対する先端側シャフト１０のマッチング性などが損なわれることなく、本発明によるプッシャビリティの向上効果、先端側シャフトの後端部分における剛性の向上効果を十分に発揮することができる。
【００４５】
（Ｄ11）／（Ｄ12）の値が１．０２未満となる場合には、先端側シャフトのルーメンに挿通されたコアワイヤのストレート部が十分に圧入固定されていないことにより、プッシャビリティの向上効果、先端側シャフトの後端部分における剛性の向上効果を十分に発揮することができないことがある。あるいは、インナーチューブのルーメン（ガイドワイヤルーメン）が閉塞されているおそれがある。
他方、（Ｄ11）／（Ｄ12）の値が１．３０を超える場合には、そのような断面形状の先端側シャフトをガイディングシースに収容できなくなるなど、当該先端側シャフトと他のデバイスとのマッチング性が損なわれることがある。
【００４６】
ガイドワイヤポートであるインナーチューブ４０の開口４１の形成位置からコアワイヤ５０のストレート部５１の先端までの軸方向の距離（Ｌ１）としては、通常１．０〜５０．０ｍｍとされる。
この距離（Ｌ１）が短すぎる場合には、コアワイヤ５０（ストレート部５１）を十分に固定（挟持）することができず、プッシャビリティの向上効果、先端側シャフトの後端部分における剛性の向上効果を十分に発揮することができないことがある。
他方、この距離（Ｌ１）が長すぎる場合には、先端側シャフト１０において「曲げの方向性」が現れ、バルーンカテーテルの操作性（血管に対する挿入性）が損なわれることがある。
【００４７】
コアワイヤ５０のテーパ部５２の長さ（Ｌ２）としては、開口４１の形成位置からバルーン３０の後端位置までの軸方向の距離（Ｌ３）などによって異なるが、通常５０〜２５０ｍｍとされる。
【００４８】
本実施形態のバルーンカテーテル１００は、血管内に挿通する際のプッシャビリティに優れ、先端側シャフト１０の後端部分（ガイドワイヤポートの形成位置から後端側シャフト２０の先端位置までの部分）におけるキンクを確実に防止することができるとともに、先端側シャフト１０が適度な柔軟性を有していることから、屈曲している血管に対してもスムーズに挿入することができる。
【００４９】
以上、本発明の一実施形態について説明したが、本発明はこれらに限定されるものでなく、種々の変更が可能である。
例えば、コアワイヤの縮径部は、先端方向に断続的に縮径するものであってもよい。
また、コアワイヤには、直径の異なる複数のストレート部が縮径部を介して連結されていてもよい。この場合には、何れかのストレート部が先端側シャフトの内周面とインナーチューブの外周面との間に圧入される。
【符号の説明】
【００５０】
１００  バルーンカテーテル
１０    先端側シャフト
２０    後端側シャフト
３０    バルーン
４０    インナーチューブ
４１    開口（ガイドワイヤポート）
４２    開口
５０    コアワイヤ
５１    ストレート部
５２    テーパ部
６０    ハブ
７０    ストレインリリーフ
【要約】
【課題】血管内に挿通するときのプッシャビリティに優れ、先端側シャフトの後端部分におけるキンクを確実に防止することができるとともに、屈曲している血管に対してもスムーズに挿入できるバルーンカテーテルを提供すること。
【解決手段】樹脂チューブからなる先端側シャフト１０と、金属チューブからなる後端側シャフト２０と、バルーン３０と、インナーチューブ４０と、コアワイヤ５０とを備えてなり、ストレート部５１とテーパ部５２とからなるコアワイヤ５０は、ストレート部５１の後端側において後端側シャフト２０の内周面に固着されているとともに、ストレート部５１の先端側において先端側シャフト１０の内周面とインナーチューブ４０の外周面との間に圧入されている。
【選択図】    図１【図１】
0005631475.tif 000002
【図２】
0005631475.tif 000003